【手続補正書】
【提出日】平成29年12月26日(2017.12.26)
【手続補正１】
【補正対象書類名】特許請求の範囲
【補正対象項目名】全文
【補正方法】変更
【補正の内容】
【特許請求の範囲】
【請求項１】
第１のワイヤレスデバイスにおいて、複数のデバイスによって復号可能な第１のプリアンブルと、前記複数のデバイスのサブセットのみによって復号可能な第２のプリアンブルとを備える第１のパケットを生成すること、ここで、前記第１のプリアンブルが第１の信号フィールドを備え、前記第２のプリアンブルが第１のトレーニングフィールドを備える、と、
少なくとも１つの他のワイヤレスデバイスによる少なくとも１つの第２のパケットの送信と同時に、前記第１のパケットを、前記第１のワイヤレスデバイスによって送信すること、ここで、前記第１のパケットの長さが、前記少なくとも１つの第２のパケットの長さよりも短く、前記少なくとも１つの他のワイヤレスデバイスが、前記第１のワイヤレスデバイスとの共通ゾーンに割り当てられる、と、
前記少なくとも１つの第２のパケットのうちの最も長いものの長さに等しい、前記第１のパケットの長さを示すための前記第１の信号フィールドを、前記第１のワイヤレスデバイスによって設定することと
を備える、ワイヤレス通信の方法。
【請求項２】
前記第１のワイヤレスデバイスに割り当てられた全チャネル帯域幅のサイズまでのチャネル帯域幅上で、前記第１の信号フィールドを送信することをさらに備える、請求項１に記載の方法。
【請求項３】
前記第１のワイヤレスデバイスが、１次チャネルとして指定されたチャネルの使用を割り当てられない場合、前記１次チャネルとして指定された前記チャネル上で、前記第１の信号フィールドを送信することをさらに備える、請求項１に記載の方法。
【請求項４】
前記第１のワイヤレスデバイスによる使用のために割り当てられない１つまたは複数のチャネルを含む利用可能なチャネル帯域幅上で、前記第１の信号フィールドを送信することをさらに備える、請求項１に記載の方法。
【請求項５】
前記利用可能なチャネル帯域幅が、前記利用可能なチャネル帯域幅の全体である、請求項４に記載の方法。
【請求項６】
前記少なくとも１つの第２のパケットのうちの前記最も長いものの前記長さに等しい、前記第１のパケットの前記長さを示すための前記第１の信号フィールドを設定することが、前記少なくとも１つの第２のパケットのうちの前記最も長いものの前記長さに等しくなるように、前記第１のパケットをパディングすることを備える、請求項１に記載の方法。
【請求項７】
前記少なくとも１つの他のデバイスが、前記共通ゾーンを含む任意のゾーンに割り当てられる、請求項１に記載の方法。
【請求項８】
前記第１のパケットをパディングすることを控えることをさらに備える、請求項１に記載の方法。
【請求項９】
前記第２のプリアンブルが、第２の信号フィールドをさらに備える、請求項１に記載の方法。
【請求項１０】
前記第２の信号フィールドが、長さが１シンボルである、請求項９に記載の方法。
【請求項１１】
前記第２のプリアンブルが、前記第１の信号フィールドの完全または部分繰り返しと、第２の信号フィールドとをさらに備える、請求項１に記載の方法。
【請求項１２】
前記第１の信号フィールドの前記完全または部分繰り返しの極性中の１つまたは複数のビットを符号化することをさらに備える、請求項１１に記載の方法。
【請求項１３】
ワイヤレス通信するように構成された装置であって、
複数のデバイスによって復号可能な第１のプリアンブルと、前記複数のデバイスのサブセットのみによって復号可能な第２のプリアンブルとを備える第１のパケットを生成するように構成されたプロセッサ、ここで、前記第１のプリアンブルが第１の信号フィールドを備え、前記第２のプリアンブルが第１のトレーニングフィールドを備える、と、
少なくとも１つの他のワイヤレスデバイスによる少なくとも１つのトレーニングフィールドの送信と同時に、前記第１のパケットを送信するように構成された送信機、ここで、前記第１のパケットの長さが、前記少なくとも１つのトレーニングフィールドの長さよりも短く、前記少なくとも１つの他のワイヤレスデバイスが、前記装置との共通ゾーンに割り当てられる、と、
を備え、前記プロセッサが、前記少なくとも１つのトレーニングフィールドのうちの最も長いものの長さに等しい、前記第１のパケットの長さを示すための前記第１の信号フィールドを設定するようにさらに構成された、装置。
【請求項１４】
前記第２のプリアンブルが、前記第１の信号フィールドの偶数または奇数トーンの繰り返しと、第２の信号フィールドとをさらに備える、請求項１３に記載の装置。
【請求項１５】
前記第２のプリアンブルが、第２の信号フィールドと、前記第２の信号フィールドの繰り返しとをさらに備える、請求項１３に記載の装置。
【請求項１６】
前記第２のプリアンブルが、第２のトレーニングフィールドをさらに備え、前記第２のトレーニングフィールドが前記第１のトレーニングフィールドよりも短い、請求項１３に記載の装置。
【請求項１７】
前記少なくとも１つの他のワイヤレスデバイスが、前記共通ゾーンを含む任意のゾーンに割り当てられ、前記プロセッサが、前記少なくとも１つの他のワイヤレスデバイスによって送信されるすべてのトレーニングフィールドの境界を整合させるように、前記第１のトレーニングフィールドをパディングするようにさらに構成された、請求項１３に記載の装置。
【請求項１８】
前記プロセッサが、前記第１のトレーニングフィールドをパディングすることを控えるようにさらに構成された、請求項１３に記載の装置。
【請求項１９】
前記第２のプリアンブルが、第２の信号フィールドをさらに備え、
第２の部分の第３の信号フィールドのために使用される保護方法と、
前記第１のトレーニングフィールドのために使用される圧縮方法と、
前記第１のパケットのペイロードのプレフィックスと、
のうちの１つに少なくとも部分的に基づく前記第２の信号フィールドの繰り返しをさらに備え得る、請求項１３に記載の装置。
【請求項２０】
前記第１の信号フィールドが、即時応答存在および／または持続時間指示を備える、請求項１３に記載の装置。
【請求項２１】
前記第１の信号フィールドが、送信電力指示を備える、請求項１３に記載の装置。
【請求項２２】
前記第１の信号フィールドが、部分時間同期機能（ＴＳＦ）を備える、請求項１３に記載の装置。
【請求項２３】
前記第１の信号フィールドが、送信機会（ＴＸＯＰ）帯域幅（ＢＷ）および／または１次チャネルオフセット指示を備える、請求項１３に記載の装置。
【請求項２４】
前記第１の信号フィールドが、部分基地局識別子（ＢＳＳＩＤ）を備える、請求項１３に記載の装置。
【請求項２５】
前記第１の信号フィールドが、アップリンク／ダウンリンク指示を備える、請求項１３に記載の装置。
【請求項２６】
ワイヤレス通信のための装置であって、
複数のデバイスによって復号可能な第１のプリアンブルと、前記複数のデバイスのサブセットのみによって復号可能な第２のプリアンブルとを備える第１のパケットを生成するための手段、ここで、前記第１のプリアンブルが第１の信号フィールドを備え、前記第２のプリアンブルが第１のトレーニングフィールドを備える、と、
少なくとも１つの他のワイヤレスデバイスによる少なくとも１つのトレーニングフィールドの送信と同時に、前記第１のパケットを送信するための手段、ここで、前記第１のパケットの長さが、前記少なくとも１つのトレーニングフィールドの長さよりも短く、前記少なくとも１つの他のワイヤレスデバイスが、前記装置との共通ゾーンに割り当てられる、と、
前記少なくとも１つのトレーニングフィールドのうちの最も長いものの長さに等しい、前記第１のパケットの長さを示すための前記第１の信号フィールドを設定するための手段と
を備える、装置。
【請求項２７】
実行されたとき、装置に、
複数のデバイスによって復号可能な第１のプリアンブルと、前記複数のデバイスのサブセットのみによって復号可能な第２のプリアンブルとを備える第１のパケットを生成すること、ここで、前記第１のプリアンブルが第１の信号フィールドを備え、前記第２のプリアンブルが第１のトレーニングフィールドを備える、と、
少なくとも１つの他のワイヤレスデバイスによる少なくとも１つのトレーニングフィールドの送信と同時に、前記第１のパケットを送信すること、ここで、前記第１のパケットの長さが、前記少なくとも１つのトレーニングフィールドの長さよりも短く、前記少なくとも１つの他のワイヤレスデバイスが、前記装置との共通ゾーンに割り当てられる、と、
前記少なくとも１つのトレーニングフィールドのうちの最も長いものの長さに等しい、前記第１のパケットの長さを示すための前記第１の信号フィールドを設定することと
を行わせるコードを備える、非一時的コンピュータ可読媒体。
【手続補正２】
【補正対象書類名】明細書
【補正対象項目名】０１８７
【補正方法】変更
【補正の内容】
【０１８７】
[00200]上記は本開示の態様を対象とするが、本開示の他の態様およびさらなる態様は、それの基本的範囲から逸脱することなく考案され得、それの範囲は以下の特許請求の範囲によって決定される。
以下に本願の出願当初の特許請求の範囲に記載された発明を付記する。
［Ｃ１］
第１のワイヤレスデバイスにおいて、複数のデバイスによって復号可能な第１のプリアンブルと、前記複数のデバイスのサブセットのみによって復号可能な第２のプリアンブルとを備える第１のパケットを生成すること、ここで、前記第１のプリアンブルが第１の信号フィールドを備え、前記第２のプリアンブルが第１のトレーニングフィールドを備える、と、
前記第１のワイヤレスデバイス以外のワイヤレスデバイスによって送信される１つまたは複数の第２のパケットと同時に、前記第１のパケットを送信することと、
を備える、ワイヤレス通信の方法。
［Ｃ２］
前記第１のワイヤレスデバイスに割り当てられた全チャネル帯域幅のサイズまでのチャネル帯域幅上で、前記第１の信号フィールドを送信することをさらに備える、Ｃ１に記載の方法。
［Ｃ３］
前記第１のワイヤレスデバイスが、１次チャネルとして指定されたチャネルの使用を割り当てられない場合、前記１次チャネルとして指定された前記チャネル上で、前記第１の信号フィールドを送信することをさらに備える、Ｃ１に記載の方法。
［Ｃ４］
前記第１のワイヤレスデバイスによる使用のために割り当てられない１つまたは複数のチャネルを含む利用可能なチャネル帯域幅上で、前記第１の信号フィールドを送信することをさらに備える、Ｃ１に記載の方法。
［Ｃ５］
前記利用可能なチャネル帯域幅が、前記利用可能なチャネル帯域幅の全体である、Ｃ４に記載の方法。
［Ｃ６］
前記第１のパケットの長さが、前記第１のワイヤレスデバイスとの共通ゾーンに割り当てられた第２のワイヤレスデバイスによって送信されるべき少なくとも１つの第２のパケットの長さよりも短く、
前記方法が、前記第１のワイヤレスデバイスとの前記共通ゾーンに割り当てられた前記第２のワイヤレスデバイスによって送信されるべき前記少なくとも１つの第２のパケットのうちの最も長いものの長さに等しい、前記第１のパケットの長さを示すための前記第１の信号フィールドを設定することをさらに備える、Ｃ１に記載の方法。
［Ｃ７］
前記方法が、前記第１のワイヤレスデバイスとの前記共通ゾーンに割り当てられた前記第２のワイヤレスデバイスによって送信されるべき前記少なくとも１つの第２のパケットのうちの前記最も長いものの前記長さに等しくなるように、送信のために前記第１のパケットをパディングすることをさらに備える、Ｃ６に記載の方法。
［Ｃ８］
前記第１のパケットの長さが、前記第１のワイヤレスデバイスと共通に割り当てられたゾーンを含む任意のゾーンに割り当てられている第２のワイヤレスデバイスによって送信されるべき少なくとも１つの第２のパケットの長さよりも短く、
前記方法が、任意のゾーンに割り当てられている前記第２のワイヤレスデバイスによって送信されるべき前記少なくとも１つの第２のパケットのうちの最も長いものの長さに等しい、前記第１のパケットの長さを示すための前記第１の信号フィールドを設定することをさらに備える、Ｃ１に記載の方法。
［Ｃ９］
前記方法が、前記第１のワイヤレスデバイスと共通に割り当てられたゾーンを含む任意のゾーンに割り当てられている前記第２のワイヤレスデバイスによって送信されるべき前記少なくとも１つの第２のパケットのうちの前記最も長いものの前記長さに等しくなるように、送信のために前記第１のパケットをパディングすることをさらに備える、Ｃ８に記載の方法。
［Ｃ１０］
前記第１のパケットの長さが、第２のワイヤレスデバイスによって送信されるべき少なくとも１つの第２のパケットの長さよりも短く、
前記方法が、前記第１のパケットをパディングすることを控えることをさらに備える、Ｃ１に記載の方法。
［Ｃ１１］
前記第２のプリアンブルが、第２の信号フィールドをさらに備える、Ｃ１に記載の方法。
［Ｃ１２］
前記第２のプリアンブルが、長さが１シンボルである第２の信号フィールドをさらに備える、Ｃ１に記載の方法。
［Ｃ１３］
前記第２のプリアンブルが、前記第１の信号フィールドの完全または部分繰り返しと、第２の信号フィールドとをさらに備える、Ｃ１に記載の方法。
［Ｃ１４］
前記第１の信号フィールドの前記完全または部分繰り返しの極性中の１つまたは複数のビットを符号化することをさらに備える、Ｃ１３に記載の方法。
［Ｃ１５］
ワイヤレス通信するように構成された装置であって、
複数のデバイスによって復号可能な第１のプリアンブルと、前記複数のデバイスのサブセットのみによって復号可能な第２のプリアンブルとを備える第１のパケットを生成するように構成されたプロセッサ、ここで、前記第１のプリアンブルが第１の信号フィールドを備え、前記第２のプリアンブルが第１のトレーニングフィールドを備える、と、
前記装置以外のワイヤレスデバイスによって送信されるべき１つまたは複数の第２のパケットと同時に、前記第１のパケットを送信するように構成された送信機と、
を備える、装置。
［Ｃ１６］
前記第２のプリアンブルが、前記第１の信号フィールドの偶数または奇数トーンの繰り返しと、第２の信号フィールドとをさらに備える、Ｃ１５に記載の装置。
［Ｃ１７］
前記第２のプリアンブルが、第２の信号フィールドと、前記第２の信号フィールドの繰り返しとをさらに備える、Ｃ１５に記載の装置。
［Ｃ１８］
前記第２のプリアンブルが、第２のトレーニングフィールドをさらに備え、前記第２のトレーニングフィールドが前記第１のトレーニングフィールドよりも短い、Ｃ１５に記載の装置。
［Ｃ１９］
前記第１のトレーニングフィールドの長さが、前記装置との共通ゾーンに割り当てられた第２のワイヤレスデバイスによって送信されるべき少なくとも１つのトレーニングフィールドの長さよりも短く、
前記プロセッサが、前記装置との前記共通ゾーンに割り当てられた前記第２のワイヤレスデバイスによって送信されるべきすべてのトレーニングフィールドの境界を整合させるように、前記第１のトレーニングフィールドをパディングするようにさらに構成された、
Ｃ１５に記載の装置。
［Ｃ２０］
前記第１のトレーニングフィールドの長さが、前記装置と共通に割り当てられたゾーンを含む任意のゾーンに割り当てられている第２のワイヤレスデバイスによって送信されるべき少なくとも１つのトレーニングフィールドの長さよりも短く、
前記プロセッサが、前記装置と共通に割り当てられたゾーンを含む任意のゾーンに割り当てられている前記第２のワイヤレスデバイスによって送信されるべきすべてのトレーニングフィールドの境界を整合させるように、前記第１のトレーニングフィールドをパディングするようにさらに構成された、
Ｃ１５に記載の装置。
［Ｃ２１］
前記第１のトレーニングフィールドの長さが、第２のワイヤレスデバイスによって送信されるべき少なくとも１つのトレーニングフィールドの長さよりも短く、
前記プロセッサが、前記第１のトレーニングフィールドをパディングすることを控えるようにさらに構成された、
Ｃ１５に記載の装置。
［Ｃ２２］
前記第２のプリアンブルが、第２の信号フィールドをさらに備え、
第２の部分の第３の信号フィールドのために使用される保護方法と、
前記第１のトレーニングフィールドのために使用される圧縮方法と、
前記第１のパケットのペイロードのプレフィックスと、
のうちの１つに少なくとも部分的に基づく前記第２の信号フィールドの繰り返しをさらに備え得る、Ｃ１５に記載の装置。
［Ｃ２３］
前記第１の信号フィールドが、即時応答存在および／または持続時間指示を備える、Ｃ１５に記載の装置。
［Ｃ２４］
前記第１の信号フィールドが、送信電力指示を備える、Ｃ１５に記載の装置。
［Ｃ２５］
前記第１の信号フィールドが、部分時間同期機能（ＴＳＦ）を備える、Ｃ１５に記載の装置。
［Ｃ２６］
前記第１の信号フィールドが、送信機会（ＴＸＯＰ）帯域幅（ＢＷ）および／または１次チャネルオフセット指示を備える、Ｃ１５に記載の装置。
［Ｃ２７］
前記第１の信号フィールドが、部分基地局識別子（ＢＳＳＩＤ）を備える、Ｃ１５に記載の装置。
［Ｃ２８］
前記第１の信号フィールドが、アップリンク／ダウンリンク指示を備える、Ｃ１５に記載の装置。
［Ｃ２９］
ワイヤレス通信のための装置であって、
複数のデバイスによって復号可能な第１のプリアンブルと、前記複数のデバイスのサブセットのみによって復号可能な第２のプリアンブルとを備える第１のパケットを生成するための手段、ここで、前記第１のプリアンブルが第１の信号フィールドを備え、前記第２のプリアンブルが第１のトレーニングフィールドを備える、と、
前記装置以外のワイヤレスデバイスによって送信されるべき１つまたは複数の第２のパケットと同時に、前記第１のパケットを送信するための手段と、
を備える、装置。
［Ｃ３０］
実行されたとき、装置に、
複数のデバイスによって復号可能な第１のプリアンブルと、前記複数のデバイスのサブセットのみによって復号可能な第２のプリアンブルとを備える第１のパケットを生成すること、ここで、前記第１のプリアンブルが第１の信号フィールドを備え、前記第２のプリアンブルが第１のトレーニングフィールドを備える、と、
前記装置以外のワイヤレスデバイスによって送信されるべき１つまたは複数の第２のパケットと同時に、前記第１のパケットを送信することと、
を行わせるコードを備える非一時的コンピュータ可読媒体。